(57)【特許請求の範囲】
【請求項１】
（削除）
【請求項２】
（削除）
【請求項３】
（削除）
【請求項４】
抵抗部と、
前記抵抗部を冷却する冷却ファンと、
遮断器と、
試験対象電源と接続する第１端子部と、
充電器と第１蓄電装置とを有する充放電部とを備えた負荷試験装置であって、
前記充放電部は、前記第１端子部と前記遮断器の間で、前記第１端子部と前記抵抗部の間の試験対象電源ケーブルと接続され、
前記第１蓄電装置は、前記試験対象電源から供給された電力を貯蔵し、
前記冷却ファンは、前記試験対象電源からの電力と前記充放電部からの電力の少なくとも一方に基づいて駆動し、
前記負荷試験装置とは別体の外部の装置と接続する第２端子部を更に備え、
前記第２端子部に接続された前記外部の装置は、前記冷却ファンがオフ状態の時に、前記充電器を介した前記第１蓄電装置からの電力に基づいて駆動する、負荷試験装置。
【請求項５】
抵抗部と、
前記抵抗部を冷却する冷却ファンと、
遮断器と、
試験対象電源と接続する第１端子部と、
充電器と第１蓄電装置とを有する充放電部とを備えた負荷試験装置であって、
前記充放電部は、前記第１端子部と前記遮断器の間で、前記第１端子部と前記抵抗部の間の試験対象電源ケーブルと接続され、
前記第１蓄電装置は、前記試験対象電源から供給された電力を貯蔵し、
前記冷却ファンは、前記試験対象電源からの電力と前記充放電部からの電力の少なくとも一方に基づいて駆動し、
表示部を更に備え、
前記表示部は、前記冷却ファンが、前記試験対象電源からの電力に基づいて駆動しているか、前記充放電部からの電力に基づいて駆動しているかに関する情報を出力する、負荷試験装置。
【請求項６】
抵抗部と、
前記抵抗部を冷却する冷却ファンと、
遮断器と、
試験対象電源と接続する第１端子部と、
充電器と第１蓄電装置とを有する充放電部とを備えた負荷試験装置であって、
前記充放電部は、前記第１端子部と前記遮断器の間で、前記第１端子部と前記抵抗部の間の試験対象電源ケーブルと接続され、
前記第１蓄電装置は、前記試験対象電源から供給された電力を貯蔵し、
前記冷却ファンは、前記試験対象電源からの電力と前記充放電部からの電力の少なくとも一方に基づいて駆動し、
前記負荷試験装置とは別体の携帯端末に、前記冷却ファンが、前記試験対象電源からの電力に基づいて駆動しているか、前記充放電部からの電力に基づいて駆動しているかに関する情報が送信される、負荷試験装置。
【請求項７】
抵抗部と、
前記抵抗部を冷却する冷却ファンと、
遮断器と、
試験対象電源と接続する第１端子部と、
充電器と第１蓄電装置とを有する充放電部とを備えた負荷試験装置であって、
前記充放電部は、前記第１端子部と前記遮断器の間で、前記第１端子部と前記抵抗部の間の試験対象電源ケーブルと接続され、
前記第１蓄電装置は、前記試験対象電源から供給された電力を貯蔵し、
前記冷却ファンは、前記充放電部からの電力に基づいて駆動し、
負荷抵抗を更に備え、
前記充放電部は、第１切り替えリレーを有し、
前記第１切り替えリレーは、前記試験対象電源からの電力の供給先を、前記充電器と前記負荷抵抗とで切り替えるために用いられ、
前記充放電部は、第２蓄電装置と、第２切り替えリレーと、第３切り替えリレーを有し、
前記第２蓄電装置は、前記試験対象電源から供給された電力を貯蔵し、
前記第２切り替えリレーは、前記試験対象電源からの電力の供給先を、前記第１蓄電装置と、前記第２蓄電装置とで切り替えるために用いられ、
前記第３切り替えリレーは、前記冷却ファンへの電力を前記第１蓄電装置から供給するか前記第２蓄電装置から供給するかを切り替えるために用いられる、負荷試験装置。
【請求項８】
表示部を更に備え、
前記表示部は、前記試験対象電源からの電力を、前記負荷抵抗に供給するか、前記充電器に供給するかに関する情報と、前記冷却ファンが、前記第１蓄電装置からの電力に基づいて駆動しているか、前記第２蓄電装置からの電力に基づいて駆動しているかに関する情報を出力する、請求項７に記載の負荷試験装置。
【請求項９】
前記負荷試験装置とは別体の携帯端末に、前記試験対象電源からの電力を、前記負荷抵抗に供給するか、前記充電器に供給するかに関する情報と、前記冷却ファンが、前記第１蓄電装置からの電力に基づいて駆動しているか、前記第２蓄電装置からの電力に基づいて駆動しているかに関する情報が送信される、請求項７に記載の負荷試験装置。
【請求項１０】
前記冷却ファンは、複数設けられ、
前記充放電部は、前記複数の冷却ファンの無停電装置として用いられ、且つ前記複数の冷却ファンのそれぞれに電力を供給するため、前記複数設けられ、
前記複数の冷却ファンは、前記抵抗部を冷却する、請求項４〜９のいずれかに記載の負荷試験装置。
【請求項１１】
前記抵抗部の状態に応じて、前記複数の冷却ファンが制御される、請求項１０に記載の負荷試験装置。
【発明の詳細な説明】
【技術分野】
【０００１】
本発明は、負荷試験装置に関する。
【背景技術】
【０００２】
従来、特許文献１のように、複数の抵抗器群を含む負荷試験装置が提案されている。
【先行技術文献】
【特許文献】
【０００３】
【特許文献１】特開２０１０−２５７５２号公報
【発明の概要】
【発明が解決しようとする課題】
【０００４】
しかし、冷却ファンなど負荷試験装置を構成する電気機器に電力を供給するために、試験対象電源とは別の補機電源を用意する必要があった。【０００５】
したがって本発明の目的は、補機電源を用意せずに、冷却ファンなどを停止させることなく、負荷試験が可能な負荷試験装置を提供することである。
【課題を解決するための手段】
【０００６】
本発明に係る負荷試験装置は、抵抗部と、抵抗部を冷却する冷却ファンと、遮断器と、試験対象電源と接続する第１端子部と、充電器と第１蓄電装置とを有する充放電部とを備える。充放電部は、第１端子部と遮断器の間で、第１端子部と抵抗部の間の試験対象電源ケーブルと接続される。第１蓄電装置は、試験対象電源から供給された電力を貯蔵する。冷却ファンは、少なくとも充放電部からの電力に基づいて駆動する。【０００７】
冷却ファン及び制御部など、負荷試験装置を構成する電気機器は、試験対象電源からの電力を貯蔵した第１蓄電装置を含む充放電部からの電力などに基づいて駆動する。
このため、負荷試験装置を構成する電気機器を駆動するために、試験対象電源とは別の補機電源を用意する必要なく、負荷試験を行うことが可能になる。
また、負荷試験における負荷の一部として、充放電部を用いることが出来る。
また、試験対象電源からの電力供給が途切れた時にも、第１蓄電装置からの電力供給により、冷却ファン及び制御部など、負荷試験装置を構成する電気機器の動作を継続させることが可能になる。【０００８】
また、充放電部は、第１端子部と遮断器の間で試験対象電源ケーブルと接続されるので、遮断器がオフ状態にされて抵抗部への電力供給がされない状態でも、冷却ファンには試験対象電源と第１蓄電装置のいずれかからの電力供給を維持させることが可能になる。【０００９】
好ましくは、冷却ファンは、抵抗部と充放電部に冷却風を供給するものである。試験対象電源は、交流電源である。充放電部は、試験対象電源からの電力について交流から直流に変換し、第１蓄電装置からの電力について直流から交流に変換する第１変換部を有する。第１蓄電装置は、第１変換部と充電器を介した試験対象電源からの電力に基づいて充電を行う。冷却ファンは、試験対象電源からの電力に基づいて駆動し、充電器と第１変換部を介した第１蓄電装置からの電力に基づいて駆動する。【００１０】
さらに好ましくは、試験対象電源は、三相交流電源である。充放電部は、入力側の端子の一方がＵ相線と接続され、入力側の端子の他方がＶ相線と接続された第１トランスと、入力側の端子の一方がＶ相線と接続され、入力側の端子の他方がＷ相線と接続された第２トランスを有する。試験対象電源から第１変換部への電力供給は、第１トランスと第２トランスで降圧された電力に基づいて行われる。【００１１】
これにより、高圧の負荷試験装置において、高圧の電源に対応していない冷却ファンなどを使った負荷試験が可能になる。【００１２】
さらに好ましくは、負荷試験装置は、負荷試験装置とは別体の外部の装置と接続する第２端子部を更に備える。第２端子部に接続された外部の装置は、冷却ファンがオフ状態の時に、充電器を介した第１蓄電装置からの電力に基づいて駆動する。【００１３】
また、試験対象電源若しくは第１蓄電装置からの電力供給に基づいて、第２端子部に接続された負荷試験装置の外部の装置を動作させることが可能になる。【００１４】
さらに好ましくは、負荷試験装置は、表示部を更に備える。表示部は、冷却ファンが、試験対象電源からの電力に基づいて駆動しているか、充放電部からの電力に基づいて駆動しているかに関する情報を出力する。【００１５】
さらに好ましくは、負荷試験装置とは別体の携帯端末に、冷却ファンが、試験対象電源からの電力に基づいて駆動しているか、充放電部からの電力に基づいて駆動しているかに関する情報が送信される。【００１６】
また、好ましくは、負荷試験装置は、負荷抵抗を更に備える。充放電部は、第１切り替えリレーを有する。第１切り替えリレーは、試験対象電源からの電力の供給先を、充電器と負荷抵抗とで切り替えるために用いられる。【００１７】
負荷抵抗が設けられるので、充電時と、満充電で充電を行う必要が無い時（非充電時）とで、負荷試験装置の電気的な負荷を一定に出来る。【００１８】
さらに好ましくは、充放電部は、第２蓄電装置と、第２切り替えリレーと、第３切り替えリレーを有する。第２蓄電装置は、試験対象電源から供給された電力を貯蔵する。第２切り替えリレーは、試験対象電源からの電力の供給先を、第１蓄電装置と、第２蓄電装置とで切り替えるために用いられる。第３切り替えリレーは、冷却ファンへの電力を第１蓄電装置から供給するか第２蓄電装置から供給するかを切り替えるために用いられる。【００１９】
また、冷却ファンの駆動は、試験対象電源から供給される電力に基づいて直接的に行われるのではなく、蓄電装置（第１蓄電装置と第２蓄電装置のいずれか）から供給される電力に基づいて行われるため、試験対象電源から負荷試験装置への電力供給が停止した場合でも、瞬間的に冷却ファンが停止してしまう可能性を低くすることが出来る。
また、２つの蓄電装置（第１蓄電装置と第２蓄電装置）を設け、一方（第１蓄電装置）が充電されている時に他方（第２蓄電装置）が放電され、他方が充電されている時に一方が放電される。このため、１つの蓄電装置で蓄電と放電が行われる形態に比べて、蓄電装置の負担が小さくすることが出来る。【００２０】
さらに好ましくは、負荷試験装置は、表示部を更に備える。表示部は、試験対象電源からの電力を、負荷抵抗に供給するか、充電器に供給するかに関する情報と、冷却ファンが、第１蓄電装置からの電力に基づいて駆動しているか、第２蓄電装置からの電力に基づいて駆動しているかに関する情報を出力する。【００２１】
また、好ましくは、負荷試験装置とは別体の携帯端末に、試験対象電源からの電力を、負荷抵抗に供給するか、充電器に供給するかに関する情報と、冷却ファンが、第１蓄電装置からの電力に基づいて駆動しているか、第２蓄電装置からの電力に基づいて駆動しているかに関する情報が送信される。【００２２】
また、好ましくは、冷却ファンは、複数設けられる。充放電部は、複数の冷却ファンの無停電装置として用いられ、且つ複数の冷却ファンのそれぞれに電力を供給するため、複数設けられる。複数の冷却ファンは、抵抗部を冷却する。【００２３】
複数の冷却ファンで抵抗部を冷却するため、１つの冷却ファンで抵抗部を冷却する形態に比べて、当該複数の冷却ファンのそれぞれについて、小さい冷却ファンを用いることが可能になる。複数の小さい冷却ファンのそれぞれに対応して複数の充放電部が設けられる。このため、１つの充放電部で複数の冷却ファンを駆動する形態に比べて、当該複数の充放電部のそれぞれについて、小さい容量の蓄電装置及び充電器を用いることが可能になる。小さい容量の蓄電装置及び充電器を用いることにより、大きい容量の蓄電装置及び充電池を用いる形態に比べて、短時間で充電と放電を完了させることが可能になる。【００２４】
抵抗部の状態に応じて、前記複数の冷却ファンが制御される。
【発明の効果】
【００２５】
以上のように本発明によれば、負荷試験を停止させる前に漏電に関する出力が可能な負荷試験装置を提供することができる。
【図面の簡単な説明】
【００２６】
【図１】第１実施形態における負荷試験装置の構成を示す斜視図である。
【図２】第１実施形態における充放電部と抵抗部の回路構成を示す模式図で、充電時の電気の流れを示すものである。
【図３】第１実施形態における充放電部と抵抗部の回路構成を示す模式図で、放電時の電気の流れを示すものである。
【図４】第１実施形態における充放電部と抵抗部の回路構成の詳細を示す模式図である。
【図５】第１実施形態における操作部の構成を示す模式図である。
【図６】第１実施形態における低圧の負荷試験装置の側面図である。
【図７】第１実施形態における高圧の負荷試験装置の側面図である。
【図８】第１実施形態における第１トランスを含む充放電部と抵抗部の回路構成の詳細を示す模式図である。
【図９】第１蓄電装置が放電状態で、第２蓄電装置が充電状態である、第２実施形態における充放電部と抵抗部の回路構成の詳細を示す模式図である。
【図１０】第１蓄電装置が放電状態で、第２蓄電装置が満充電状態である、第２実施形態における充放電部と抵抗部の回路構成の詳細を示す模式図である。
【図１１】第１蓄電装置が充電状態で、第２蓄電装置が放電状態である、第２実施形態における充放電部と抵抗部の回路構成の詳細を示す模式図である。
【図１２】第１蓄電装置が満充電状態で、第２蓄電装置が放電状態である、第２実施形態における充放電部と抵抗部の回路構成の詳細を示す模式図である。
【図１３】複数の充放電部と複数の冷却ファンが設けられた第２実施形態の応用例を示す模式図である。
【発明を実施するための形態】
【００２７】
以下、第１実施形態について、図を用いて説明する。
なお、実施形態は、以下の実施形態に限られるものではない。また、一つの実施形態に記載した内容は、原則として他の実施形態にも同様に適用される。また、各実施形態及び各変形例は、適宜組み合わせることが出来る。
【００２８】
第１実施形態における負荷試験装置１は、冷却ファン１０、抵抗部２０、筐体３０、充放電部４０、遮断器５０、第１端子部５５ａ、第２端子部５５ｂ、操作部６０、制御部８０を備える。
負荷試験装置１は、三相交流発電機などの電源装置（試験対象電源）の負荷試験を行うために用いられる（図１〜図５参照）。
【００２９】
（冷却ファン１０）
冷却ファン１０は、抵抗部２０と充放電部４０に冷却風を供給する装置で、冷却ファン１０の上部（冷却ファン１０から排出される空気の下流）に抵抗部２０及び充放電部４０が配置される（図１参照）。
すなわち、抵抗部２０と充放電部４０は、冷却ファン１０からの冷却風が通る流路上に設けられる。
冷却ファン１０は、試験対象電源からの電力に基づいて駆動する（図２参照）。
ただし、試験対象電源からの電力供給が少ない場合には、充電器４３と第１変換部４１ａを介した第１蓄電装置４５ａからの電力に基づいて駆動する（図３参照）。すなわち、冷却ファン１０は、少なくとも充放電部４０からの電力に基づいて駆動する。
【００３０】
図２では、試験対象電源から冷却ファン１０などへの電気が流れる方向を点線矢印で示し、冷却ファン１０から抵抗部２０などへの冷却風が流れる方向を破線矢印で示す。
図３では、第１蓄電装置４５ａから冷却ファン１０などへの電気が流れる方向を点線矢印で示し、冷却ファン１０から抵抗部２０などへの冷却風が流れる方向を破線矢印で示す。
【００３１】
第１実施形態では、冷却ファン１０が交流で駆動するものであるとして説明する。従って冷却ファン１０は、交流の電流線上、例えば、第１端子部５５ａと第１変換部４１ａの間の線と接続される。
ただし、冷却ファン１０が直流で駆動するものであってもよい。この場合、冷却ファン１０は、直流の電流線上、例えば、第１変換部４１ａと充電器４３の間の線と接続される。
【００３２】
（抵抗部２０）
抵抗部２０は、棒状などの抵抗器が所定の間隔を空けて複数本並べられ、直列又は並列に接続された抵抗器群が、１以上設けられたもので、負荷試験の際には、当該抵抗器群の一部又は全部に、試験対象電源からの電力が供給される（図４参照）。
抵抗器は、電熱線で構成されたものに限らず、バッテリーなど内部に電力を蓄積出来るものであってもよい。
【００３３】
第１実施形態では、三相交流電源の負荷試験用として、定格容量５ｋＷの抵抗器群が２つ（第１抵抗器群Ｇ１、第２抵抗器群Ｇ２）と、１０ｋＷの抵抗器群が２つ（第３抵抗器群Ｇ３、第４抵抗器群Ｇ４）の計４つの抵抗器群が設けられた例を示す。
【００３４】
それぞれの抵抗器群には、試験対象電源のＲ相端子と接続するＵ相用に直列に接続された２つの抵抗器（第１抵抗器Ｒ１、第２抵抗器Ｒ２）、試験対象電源のＳ相端子と接続するＶ相用に直列に接続された２つの抵抗器（第３抵抗器Ｒ３、第４抵抗器Ｒ４）、試験対象電源のＴ相端子と接続するＷ相用に直列に接続された２つの抵抗器（第５抵抗器Ｒ５、第６抵抗器Ｒ６）が設けられる。
また、それぞれの抵抗器群には、第１抵抗器Ｒ１と第２抵抗器Ｒ２の間と、第３抵抗器Ｒ３と第４抵抗器Ｒ４の間と、第５抵抗器Ｒ５と第６抵抗器Ｒ６の間にリレーＲＳが設けられる。
【００３５】
リレーＲＳは、後述する第１スイッチＳ１〜第４スイッチＳ４のオンオフ操作に対応してオンオフ制御され、オン状態の時に対応する抵抗器群に電流が流れる状態にする。
リレーＲＳは、Ｕ相用のリレーとＶ相用のリレーとＷ相用のリレーが連動してオンオフ動作する三連スイッチでもよいし、それぞれが単独でオンオフ動作する単連スイッチであってもよい。
【００３６】
それぞれの抵抗器群における第２抵抗器Ｒ２の一方の端子は、第１端子部５５ａと抵抗部２０とを電気的に接続するケーブル（試験対象電源ケーブル）ｃ１のうち、試験対象電源のＲ相端子と接続する第１端子部５５ａのＵ相端子ＵＴから延びるＵ相用線ＵＢと接続される。
それぞれの抵抗器群における第４抵抗器Ｒ４の一方の端子は、試験対象電源ケーブルｃ１のうち、試験対象電源のＳ相端子と接続する第１端子部５５ａのＶ相端子ＶＴから延びるＶ相用線ＶＢと接続される。
それぞれの抵抗器群における第６抵抗器Ｒ６の一方の端子は、試験対象電源ケーブルｃ１のうち、試験対象電源のＴ相端子と接続する第１端子部５５ａのＷ相端子ＷＴから延びるＷ相用線ＷＢと接続される。
【００３７】
それぞれの抵抗器群における第１抵抗器Ｒ１の一方の端子と、第３抵抗器Ｒ３の一方の端子と、第５抵抗器Ｒ５の一方の端子は短絡する。
【００３８】
それぞれの抵抗器群における第１抵抗器Ｒ１の他方の端子は、リレーＲＳを介して、第２抵抗器Ｒ２の他方の端子と接続される。
それぞれの抵抗器群における第３抵抗器Ｒ３の他方の端子は、リレーＲＳを介して、第４抵抗器Ｒ４の他方の端子と接続される。
それぞれの抵抗器群における第５抵抗器Ｒ５の他方の端子は、リレーＲＳを介して、第６抵抗器Ｒ６の他方の端子と接続される。
【００３９】
なお、抵抗器群の数、抵抗器群それぞれの定格電圧及び定格容量、抵抗器群における抵抗器の数は上述の構成に限るものではない。
【００４０】
（筐体３０）
筐体３０は、冷却ファン１０、抵抗部２０、充放電部４０、遮断器５０、第１端子部５５ａ、第２端子部５５ｂ、操作部６０、制御部８０など負荷試験装置１を構成する部材であって、後述する携帯端末９０を除くものを保持するケースである。
筐体３０における、冷却ファン１０の下方の側面（上流）には、吸気口３１が設けられ、抵抗部２０及び充放電部４０の上方（下流）には、排気口３３が設けられる（図１参照）。
【００４１】
吸気口３１には、使用時に開き不使用時に閉じる吸気蓋３２が設けられ、排気口３３には、使用時に開き不使用時に閉じる排気蓋３４が設けられる。
【００４２】
第１実施形態では、吸気蓋３２及び排気蓋３４は、いずれも蝶番を介した開き戸で構成される形態を説明するが、引き戸など他の扉構造で構成される形態であってもよい。
また、吸気蓋３２と排気蓋３４の少なくとも一方を省略する形態であってもよい。
【００４３】
（充放電部４０）
第１実施形態における充放電部４０は、第１変換部４１ａ、充電器４３、第１蓄電装置４５ａを有する。
充放電部４０は、冷却ファン１０と、操作部６０及び制御部８０などの負荷試験装置１を構成する電気機器の無停電装置として用いられる。
【００４４】
第１変換部４１ａは、充電時に、ＡＣ／ＤＣコンバーターとして機能し、試験対象電源から供給される電力について、交流から直流に変換する。
また、第１変換部４１ａは、放電時に、ＤＣ／ＡＣインバーターとして機能し、第１蓄電装置４５ａから供給される電力について、直流から交流に変換する。
第１変換部４１ａのＡＣ／ＤＣコンバーターとしての入力側は、第１端子部５５ａと遮断器５０の間で、Ｕ相線ＵＢとＶ相線ＶＢとＷＢ相線ＷＢと接続される。
第１変換部４１ａのＡＣ／ＤＣコンバーターとしての出力側は、充電器４３と、操作部６０及び制御部８０などの負荷試験装置１を構成する電気機器と接続される。
第１変換部４１ａは、ＡＣ／ＤＣコンバーターとして機能する部分と、ＤＣ／ＡＣコンバーターとして機能する部分が一体となったもので構成されてもよいし、別体となったもので構成されてもよい。
なお、第１変換部４１ａは、充電器４３に印加する電圧を調整するために、ＤＣ／ＤＣコンバーターを有しても良い。
【００４５】
充電器４３は、第１蓄電装置４５ａを充電する充電回路を有する。
【００４６】
第１蓄電装置４５ａは、バッテリーなど、試験対象電源から供給された電力を貯蔵する装置である。
第１蓄電装置４５ａに印加される電圧が、第１蓄電装置４５ａの放電電圧よりも低くなった時に、第１蓄電装置４５ａは充電状態（図２参照）から放電状態（図３参照）に切り替えられる。
第１蓄電装置４５ａの放電電圧が、第１蓄電装置４５ａに印加される電圧以下になった時に、第１蓄電装置４５ａは放電状態（図３参照）から充電状態（図２参照）に切り替えられる。
ただし、第１蓄電装置４５ａの充電と放電の切り替えは、制御部８０などの制御に基づいて行われてもよい。
【００４７】
試験対象電源から負荷試験装置１に電力が供給されている時、第１変換部４１ａは、試験対象電源から供給される電力を交流から直流に変換し、第１蓄電装置４５ａで充電が行われる。
また、第１変換部４１ａを介して、操作部６０及び制御部８０など負荷試験装置１を構成する電気機器に電力が供給される。
試験対象電源から負荷試験装置１に電力が供給されていない時、第１変換部４１ａは、第１蓄電装置４５ａから供給される電力を直流から交流に変換し、冷却ファン１０に電力が供給される。
【００４８】
（遮断器５０）
遮断器５０は、配線用遮断器（ＭＣＣＢ：Molded Case Circuit Breaker）若しくは真空遮断器（ＶＣＢ：Vacuum Circuit Breaker）などで構成され、抵抗部２０と第１端子部５５ａの間であって、試験対象電源ケーブルｃ１上（Ｕ相用線ＵＢ上、Ｖ相用線ＶＢ上、Ｗ相用線ＷＢ上）に設けられ、オン状態の時に、試験対象電源からの電力が抵抗部２０に供給され、オフ状態の時に、試験対象電源から抵抗部２０への電力供給を停止する。
充放電部４０は、第１端子部５５ａと遮断器５０の間で、試験対象電源ケーブルｃ１と電気的に接続される。
【００４９】
（第１端子部５５ａ）
第１端子部５５ａは、負荷試験装置１の内部で遮断器５０及び第１変換部４１ａと接続され、負荷試験装置１の外部で試験対象電源と接続される。
第１端子部５５ａは、Ｕ相端子ＵＴ、Ｖ相端子ＶＴ、Ｗ相端子ＷＴを有する。
Ｕ相端子ＵＴは、Ｕ相線ＵＢ及び試験対象電源のＲ相端子と接続され、Ｖ相端子ＶＴは、Ｕ相線ＶＢ及び試験対象電源のＳ相端子と接続され、Ｗ相端子ＷＴは、Ｗ相線ＷＢ及び試験対象電源のＴ相端子と接続される。
【００５０】
（第２端子部５５ｂ）
第２端子部５５ｂは、負荷試験装置１の内部で試験対象電源ケーブルｃ1及び第１変換部４１ａと接続され、負荷試験装置１とは別体の外部の装置と接続される。
第２端子部５５ｂに接続された当該外部の装置は、試験対象電源ケーブルｃ1を介した試験対象電源からの電力に基づいて駆動し、また、充電器４３と第１変換部４１ａを介した第１蓄電装置４５ａからの電力に基づいて駆動する。
【００５１】
ただし、第２端子部５５ｂに接続された当該外部の装置へは、充電器４３と第１変換部４１ａを介した第１蓄電装置４５ａからの電力供給のみとし、試験対象電源ケーブルｃ１を介した試験対象電源からの電力供給を行わない形態であってもよい。
また、第２端子部５５ｂと冷却ファン１０の間に、インターロック回路（不図示）を設け、冷却ファン１０がオフ状態の時にだけ、第２端子部５５ｂに接続された当該外部の装置への電力供給が行われる形態であってもよい。この場合、試験対象電源からの電力供給が途切れた時に、第１蓄電装置４５ａに冷却ファン１０の駆動を維持するのに必要な電力を残しておくことが出来る。
また、第２端子部５５ｂに供給される電力は、三相交流に限るものではなく、単相交流であってもよいし、直流であってもよい。この場合、第２端子部５５ｂには、三相交流を単相交流（若しくは直流）に変換する回路が設けられる。
【００５２】
（操作部６０）
操作部６０には、負荷試験装置１の電源をオン状態にしたり、オフ状態にしたりするオンオフ操作スイッチ６０ａと、負荷量を調整する（試験対象電源からの電力供給を行う抵抗器群を選択する）選択スイッチ６０ｂ（第１スイッチＳ１、第２スイッチＳ２、第３スイッチＳ３、第４スイッチＳ４）と、負荷試験装置１の動作状態及び第１蓄電装置４５ａの動作状態（充電か放電かなど）を表示する表示部６０ｃが設けられる。
【００５３】
オンオフ操作スイッチ６０ａを操作して、負荷試験装置１のメイン電源がオン状態にされると、試験対象電源から供給された電力に基づいて、冷却ファン１０のファンは回転し、吸気口３１から取り入れた空気を、抵抗部２０及び充放電部４０に送り込む。
また、試験対象電源から供給された電力に基づいて、第１蓄電装置４５ａが蓄電する（図２参照）。
また、試験対象電源から供給された電力に基づいて、操作部６０及び制御部８０などが作動する。
また、試験対象電源から供給された電力に基づいて、第２端子部５５ｂに接続された外部の装置が作動する。
【００５４】
試験対象電源から負荷試験装置１に電力が供給されない時は、第１蓄電装置４５ａは放電する。
そして、充電器４３と第１変換部４１ａを介して、第１蓄電装置４５ａから供給された電力に基づいて、冷却ファン１０が作動する（図３参照）。
また、充電器４３を介して、第１蓄電装置４５ａから供給された電力に基づいて、操作部６０及び制御部８０など負荷試験装置１を構成する電気機器が作動する。
また、充電器４３と第１変換部４１ａを介して、第１蓄電装置４５ａから供給された電力に基づいて、第２端子部５５ｂに接続された外部の装置が作動する。
【００５５】
オンオフ操作スイッチ６０ａとは別に、冷却ファン１０用のオンオフスイッチを設けてもよい。この場合は、オンオフ操作スイッチ６０ａを操作して、負荷試験装置１のメイン電源がオン状態にされた状態で、当該冷却ファン１０用のオンオフスイッチを操作して、冷却ファン１０のファンの回転を開始させる。
【００５６】
表示部６０ｃは、負荷試験装置１の動作状態、例えば、冷却ファン１０が、試験対象電源からの電力に基づいて駆動しているか、充放電部４０からの電力に基づいて駆動しているかに関する情報を出力する。
【００５７】
具体的には、表示部６０ｃは、「試験対象電源からの電力供給があり充電中であること」、「試験対象電源からの電力供給はあるが満充電であること」、「試験対象電源からの電力供給がなく、蓄電装置が冷却ファンなどを駆動していること」などを表示する。
図５は、第１蓄電装置４５ａの動作状態として、「試験対象電源からの電力供給がなく、第１蓄電装置４５ａが冷却ファン１０などを駆動していること」を表示する例を示す。
【００５８】
なお、負荷試験装置１の動作状態及び第１蓄電装置４５ａの動作状態は、負荷試験装置１の操作部６０の表示部６０ｃに表示されるだけでなく、負荷試験装置１とは別体の携帯端末９０に表示されてもよい。
この場合、携帯端末９０は、負荷試験装置１の制御部８０などと通信を行い、第１蓄電装置４５ａの動作状態、例えば、冷却ファン１０が、試験対象電源からの電力に基づいて駆動しているか、充放電部４０からの電力に基づいて駆動しているかに関する情報などに関する情報が携帯端末９０に送信される。
【００５９】
（制御部８０）
制御部８０は、抵抗部２０を保持する筐体３０の内部に固定された制御装置である。
制御部８０は、リレーＲＳと冷却ファン１０と遮断器５０など、負荷試験装置１の各部を制御する装置である。
【００６０】
（負荷試験時のリレーＲＳの動作手順）
負荷試験装置１のメイン電源がオン状態にされると、遮断器５０がオン状態にされる。
選択スイッチ６０ｂ（第１スイッチＳ１など）を操作して、抵抗部２０への通電が可能な状態にされる。
具体的には、制御部８０が、通電を選択した選択スイッチ６０ｂに対応する抵抗器群のリレーＲＳをオン状態にする。
これにより、通電を選択した選択スイッチ６０ｂに対応する抵抗器群に、遮断器５０を介して接続された試験対象電源から、電力が供給される。
【００６１】
具体例として、第１スイッチＳ１と第２スイッチＳ２がオン状態で、第３スイッチＳ３と第４スイッチＳ４がオフ状態になるように操作された場合の電力が供給される手順を説明する。
制御部８０は、第１スイッチＳ１に対応した第１抵抗器群Ｇ１のリレーＲＳ、及び第２スイッチＳ２に対応した第２抵抗器群Ｇ２のリレーＲＳをオン状態にする。
このため、第１抵抗器群Ｇ１と第２抵抗器群Ｇ２に、遮断器５０を介して接続された試験対象電源からの電力供給が行われる。
また、制御部８０は、第３スイッチＳ３に対応した第３抵抗器群Ｇ３のリレーＲＳ、及び第４スイッチＳ４に対応した第４抵抗器群Ｇ４のリレーＲＳをオフ状態にする。
このため、第３抵抗器群Ｇ３と第４抵抗器群Ｇ４には、遮断器５０を介して接続された試験対象電源からの電力供給は行われない。
ただし、リレーＲＳのオンオフ制御は、制御部８０を介さずに、選択スイッチ６０ｂの操作に応じて、直接リレーＲＳのオンオフ制御が行われる形態であってもよい。
【００６２】
（効果）
第１実施形態では、冷却ファン１０と操作部６０と制御部８０など、負荷試験装置１を構成する電気機器は、試験対象電源からの電力を貯蔵した第１蓄電装置４５ａを含む充放電部４０からの電力などに基づいて駆動する。
このため、負荷試験装置１を構成する電気機器を駆動するために、試験対象電源とは別の補機電源を用意する必要なく、負荷試験を行うことが可能になる。
また、負荷試験における負荷の一部として、充放電部４０を用いることが出来る。
また、試験対象電源からの電力供給が途切れた時にも、第１蓄電装置４５ａからの電力供給により、冷却ファン１０と操作部６０と制御部８０など、負荷試験装置１を構成する電気機器の動作を継続させることが可能になる。
【００６３】
また、充放電部４０は、第１端子部５５ａと遮断器５０の間で試験対象電源ケーブルｃ１と接続されるので、遮断器５０がオフ状態にされて抵抗部２０への電力供給がされない状態でも、冷却ファン１０には試験対象電源と第１蓄電装置４５ａのいずれかからの電力供給を維持させることが可能になる。
【００６４】
また、試験対象電源若しくは第１蓄電装置４５ａからの電力供給に基づいて、第２端子部５５ｂに接続された負荷試験装置１の外部の装置を動作させることが可能になる。
【００６５】
また、表示部６０ｃ及び携帯端末に、負荷試験装置の動作状況、特に第１蓄電装置４５ａの充電状況などを出力して、使用者に知らせることが可能になる。
【００６６】
（単相交流若しくは直流の試験対象電源への応用）
第１実施形態では、試験対象電源が三相交流電源である例を示したが、試験対象電源が単相交流電源若しくは直流電源であってもよい。
試験対象電源が、直流電源の場合、冷却ファン１０は直流で駆動し、第１変換部４１ａが省略される。
【００６７】
（高圧の負荷試験装置１への応用）
なお、第１実施形態における負荷試験装置１は、図６に示すような低圧の電源に対応した低圧用負荷試験装置に応用することも可能であるし、図７に示すような高圧の電源に対応した高圧用負荷試験装置に応用することも可能である。
高圧用負荷試験装置に応用する場合には、図８に示すように、負荷試験装置１の充放電部４０は、第１トランス４８ａと第２トランス４８ｂを有する。
第１トランス４８ａの入力側の端子の一方は、Ｕ相線ＵＢと接続され、第１トランス４８ａの入力側の端子の他方は、Ｖ相線ＶＢと接続される。
第２トランス４８ｂの入力側の端子の一方は、Ｖ相線ＶＢと接続され、第２トランス４８ｂの入力側の端子の他方は、Ｗ相線ＷＢと接続される。
試験対象電源から冷却ファン１０と第１変換部４１ａと第２端子部５５ｂへの電力供給は、第１トランス４８ａと第２トランス４８ｂで降圧された電力に基づいて行われる。
これにより、高圧の負荷試験装置１において、高圧の電源に対応していない冷却ファン１０などを使った負荷試験が可能になる。
【００６８】
（第２実施形態、複数の蓄電装置の切り替え使用）
また、第１実施形態では、１つの蓄電装置（第１蓄電装置４５ａ）を用いる例を示したが、第２実施形態では、２つの蓄電装置（第１蓄電装置４５ａ、第２蓄電装置４５ｂ）を用いる。
このため、第２実施形態における充放電部４０は、第１変換部４１ａ、充電器４３、第１蓄電装置４５ａの他に、第２変換部４１ｂ、第２蓄電装置４５ｂ、第１切り替えリレー４６ａ、第２切り替えリレー４６ｂ、第３切り替えリレー４６ｃを更に有し、さらに第１切り替えリレー４６ａに接続される負荷抵抗４７が設けられる。
以下、第１実施形態と異なる部分を中心に説明する。
【００６９】
（第２実施形態の冷却ファン１０）
冷却ファン１０は、抵抗部２０と充放電部４０と負荷抵抗４７に冷却風を供給する装置で、抵抗部２０と充放電部４０と負荷抵抗４７は、冷却ファン１０からの冷却風が通る流路上に設けられる。
【００７０】
（第２実施形態の充放電部４０）
第２実施形態における第１変換部４１ａは、ＡＣ／ＤＣコンバーターとして機能し、試験対象電源から供給される電力について、交流から直流に変換する。
第１変換部４１ａの入力側は、第１端子部５５ａと遮断器５０の間で、第１切り替えリレー４６ａを介して、Ｕ相線ＵＢとＶ相線ＶＢとＷＢ相線ＷＢと接続される。
第１変換部４１ａの出力側は、充電器４３と接続される。
【００７１】
第２変換部４１ｂは、ＤＣ／ＡＣコンバーターとして機能し、第１蓄電装置４５ａ若しくは第２蓄電装置４５ｂから供給される電力について、直流から交流に変換する。
第２変換部４１ｂの入力側は、第２切り替えリレー４６ｂを介して、第１蓄電装置４５ａ及び第２蓄電装置４５ｂと接続される。
第２変換部４１ｂの出力側は、冷却ファン１０及び第２端子部５５ｂと接続される。
【００７２】
第２実施形態では、冷却ファン１０が交流で駆動するものであるとして説明する。この場合、冷却ファン１０に接続される第２変換部４１ｂは、ＤＣ／ＡＣコンバーターで構成される。
ただし、冷却ファン１０が直流で駆動するものであってもよい。この場合、冷却ファン１０に接続される第２変換部４１ｂは、ＤＣ／ＤＣコンバーターで構成されるか、省略される。
【００７３】
充電器４３は、第１蓄電装置４５ａ若しくは第２蓄電装置４５ｂを充電する充電回路を有する。
【００７４】
第１蓄電装置４５ａと第２蓄電装置４５ｂは、バッテリーなど、電力を貯蔵する装置である。
第１蓄電装置４５ａと第２蓄電装置４５ｂは、第２切り替えリレー４６ｂを介して、充電器４３と接続される。
また、第１蓄電装置４５ａと第２蓄電装置４５ｂは、第３切り替えリレー４６ｃを介して、第２変換部４１ｂと、操作部６０及び制御部８０などの負荷試験装置１を構成する電気機器と接続される。
【００７５】
第１蓄電装置４５ａ及び第２蓄電装置４５ｂは、一回の負荷試験を行う間、冷却ファン１０、第２変換部４１ｂと、操作部６０及び制御部８０など負荷試験装置１を構成する電気機器への電力供給が可能な蓄電容量を有するのが望ましい。
【００７６】
第１切り替えリレー４６ａは、試験対象電源からの電力の供給先を、第１変換部４１ａ（充電器４３）と負荷抵抗４７とで切り替えるために用いられる。
第１蓄電装置４５ａと第２蓄電装置４５ｂのうち、第２切り替えリレー４６ｂを介して充電器４３が接続されているものについて、充電を行う必要がある場合には、第１端子部５５ａと第１変換部４１ａとが電気的に接続されるように、第１切り替えリレー４６ａがスイッチ制御される（図９、図１１参照）。
第１蓄電装置４５ａと第２蓄電装置４５ｂのうち、第２切り替えリレー４６ｂを介して充電器４３が接続されているものについて、満充電状態で充電を行う必要がない場合には、第１端子部５５ａと負荷抵抗４７とが電気的に接続されるように、第１切り替えリレー４６ａがスイッチ制御される（図１０、図１２参照）。
第１切り替えリレー４６ａのスイッチ制御は、第１蓄電装置４５ａと第２蓄電装置４５ｂのうち、第２切り替えリレー４６ｂを介して充電器４３が接続されているものの充電状態に基づいて、制御部８０によって行われる。
【００７７】
第１切り替えリレー４６ａは、Ｕ相用のリレーとＶ相用のリレーとＷ相用のリレーが連動してオンオフ動作する三連スイッチでもよいし、それぞれが単独でオンオフ動作する単連スイッチであってもよい。
【００７８】
なお、第１実施形態及び第２実施形態における「満充電状態」は、１００％の充電状態を示すものに限らず、８０〜９０％程度の所定の充電状態を示すものであってもよい。
【００７９】
第２切り替えリレー４６ｂは、試験対象電源からの電力の供給先を、第１蓄電装置４５ａと第２蓄電装置４５ｂとで切り替えるために用いられる。
第１蓄電装置４５ａが、冷却ファン１０などに電力を供給する場合には、充電器４３と第２蓄電装置４５ｂとが電気的に接続されるように、第２切り替えリレー４６ｂがスイッチ制御される。
第２蓄電装置４５ｂが、冷却ファン１０などに電力を供給する場合には、充電器４３と第１蓄電装置４５ａとが電気的に接続されるように、第２切り替えリレー４６ｂがスイッチ制御される。
【００８０】
第３切り替えリレー４６ｃは、冷却ファン１０などへの電力の供給元を、第１蓄電装置４５ａと第２蓄電装置４５ｂとで切り替えるために用いられる。
第１蓄電装置４５ａが、冷却ファン１０などに電力を供給する場合には、冷却ファン１０などと第１蓄電装置４５ａとが電気的に接続されるように、第３切り替えリレー４６ｃがスイッチ制御される。
第２蓄電装置４５ｂが、冷却ファン１０などに電力を供給する場合には、冷却ファン１０などと第２蓄電装置４５ｂとが電気的に接続されるように、第３切り替えリレー４６ｃがスイッチ制御される。
【００８１】
第２切り替えリレー４６ｂと第３切り替えリレー４６ｃは、充電器４３が第１蓄電装置４５ａと導通するときに、第２蓄電装置４５ｂが第２変換部４１ｂなどと導通し、充電器４３が第２蓄電装置４５ｂと導通するときに、第１蓄電装置４５ａが第２変換部４１ｂなどと導通するように、連動して動作するスイッチであってもよいし、それぞれが単独で動作するスイッチであってもよい。
【００８２】
第２切り替えリレー４６ｂと第３切り替えリレー４６ｃの切り替え制御は、負荷試験装置１の動作状態及び第１蓄電装置４５ａと第２蓄電装置４５ｂの充電状態に基づいて、制御部８０によって行われる。
【００８３】
具体的には、図９及び図１０に示すように、第１蓄電装置４５ａが第３切り替えリレー４６ｃを介して第２変換部４１ｂなどと接続され、第２蓄電装置４５ｂが第２切り替えリレー４６ｂを介して充電器４３と接続された状態で、負荷試験が行われている場合には、当該負荷試験が終了後、即ちオンオフ操作スイッチ６０ａがオフ状態にされ、次の負荷試験が開始される際、即ち、オンオフ操作スイッチ６０ａが再びオン状態にされた時に、図１１及び図１２に示すように、第２蓄電装置４５ｂが第３切り替えリレー４６ｃを介して第２変換部４１ｂなどと接続され、第１蓄電装置４５ａが第２切り替えリレー４６ｂを介して充電器４３と接続されるように、第２切り替えリレー４６ｂと第３切り替えリレー４６ｃのスイッチ制御が行われる。
【００８４】
ただし、図９及び図１０に示すように、第１蓄電装置４５ａが第３切り替えリレー４６ｃを介して第２変換部４１ｂなどと接続され、第２蓄電装置４５ｂが第２切り替えリレー４６ｂを介して充電器４３と接続された状態で、負荷試験が行われている場合であって、第１蓄電装置４５ａが冷却ファン１０などを駆動出来る程度の十分な充電状態でなくなった場合には、負荷試験が行われている間であっても、図１１及び図１２に示すように、第２蓄電装置４５ｂが第３切り替えリレー４６ｃを介して第２変換部４１ｂなどと接続され、第１蓄電装置４５ａが第２切り替えリレー４６ｂを介して充電器４３と接続されるように、第２切り替えリレー４６ｂと第３切り替えリレー４６ｃのスイッチ制御が行われる。
【００８５】
また、図１１及び図１２に示すように、第２蓄電装置４５ｂが第３切り替えリレー４６ｃを介して第２変換部４１ｂなどと接続され、第１蓄電装置４５ａが第２切り替えリレー４６ｂを介して充電器４３と接続された状態で、負荷試験が行われている場合には、当該負荷試験が終了後、即ちオンオフ操作スイッチ６０ａがオフ状態にされ、次の負荷試験が開始される際、即ち、オンオフ操作スイッチ６０ａが再びオン状態にされた時に、図９及び図１０に示すように、第１蓄電装置４５ａが第３切り替えリレー４６ｃを介して第２変換部４１ｂなどと接続され、第２蓄電装置４５ｂが第２切り替えリレー４６ｂを介して充電器４３と接続されるように、第２切り替えリレー４６ｂと第３切り替えリレー４６ｃのスイッチ制御が行われる。
【００８６】
ただし、図１１及び図１２に示すように、第２蓄電装置４５ｂが第３切り替えリレー４６ｃを介して第２変換部４１ｂなどと接続され、第１蓄電装置４５ａが第２切り替えリレー４６ｂを介して充電器４３と接続された状態で、負荷試験が行われている場合であって、第２蓄電装置４５ｂが冷却ファン１０などを駆動出来る程度の十分な充電状態でなくなった場合には、負荷試験が行われている間であっても、図９及び図１０に示すように、第１蓄電装置４５ａが第３切り替えリレー４６ｃを介して第２変換部４１ｂなどと接続され、第２蓄電装置４５ｂが第２切り替えリレー４６ｂを介して充電器４３と接続されるように、第２切り替えリレー４６ｂと第３切り替えリレー４６ｃのスイッチ制御が行われる。
【００８７】
（第２実施形態の負荷抵抗４７）
負荷抵抗４７は、第１切り替えリレー４６ａを介してＵ相線ＵＢと接続する抵抗器と、第１切り替えリレー４６ａを介してＶ相線ＶＢと接続する抵抗器と、第１切り替えリレー４６ａを介してＷ相線と接続する抵抗器を有する。負荷抵抗４７における、Ｕ相線ＵＢと接続する抵抗器と、Ｖ相線ＶＢと接続する抵抗器と、Ｗ相線と接続する抵抗器は、他方の端部で短絡する。
第１蓄電装置４５ａと第２蓄電装置４５ｂのいずれかと、第１変換部４１ａと、充電器４３に電力を供給する際の負荷と、負荷抵抗４７に電力を供給する際の負荷とが、略同等になるように、負荷抵抗４７の抵抗器が構成される。
【００８８】
負荷抵抗４７は、第１蓄電装置４５ａと第２蓄電装置４５ｂへの充電を行わない時に、第１蓄電装置４５ａと第２蓄電装置４５ｂのいずれかに充電を行う際の負荷と同程度の負荷を維持させるために用いられる。
負荷抵抗４７の抵抗器は、冷却ファン１０からの冷却風が通る流路上に設けられる。
【００８９】
負荷抵抗４７は、図９〜図１２に示すように、第１端子部５５ａと遮断器５０の間で、試験対象電源ケーブルｃ１と電気的に接続される。
ただし、負荷抵抗４７は、充放電部４０とは別で、遮断器５０の抵抗部２０がある側で、試験対象電源ケーブルｃ１と電気的に接続されてもよい。
【００９０】
（第２実施形態の表示部６０ｃ）
表示部６０ｃは、負荷試験装置１の動作状態、例えば、試験対象電源からの電力を、負荷抵抗４７に供給するか、充電器４３に供給するかに関する情報と、冷却ファン１０が、第１蓄電装置４５ａからの電力に基づいて駆動しているか、第２蓄電装置４５ｂからの電力に基づいて駆動しているかに関する情報を出力する。
【００９１】
具体的には、表示部６０ｃは、「試験対象電源からの電力供給があり第１蓄電装置４５ａ（若しくは第２蓄電装置４５ｂ）が充電中であること」、「試験対象電源からの電力供給はあるが第１蓄電装置４５ａ（若しくは第２蓄電装置４５ｂ）が満充電であること」、「試験対象電源からの電力供給がなく、第２蓄電装置４５ｂ（若しくは第１蓄電装置４５ａ）が冷却ファン１０などを駆動していること」などを表示する。
【００９２】
なお、負荷試験装置１の動作状態及び第１蓄電装置４５ａの動作状態は、負荷試験装置１の操作部６０の表示部６０ｃに表示されるだけでなく、負荷試験装置１とは別体の携帯端末９０に表示されてもよい。
この場合、携帯端末９０は、負荷試験装置１の制御部８０などと通信を行い、第１蓄電装置４５ａの動作状態、例えば、試験対象電源からの電力を、負荷抵抗４７に供給するか、充電器４３に供給するかに関する情報と、冷却ファン１０が、第１蓄電装置４５ａからの電力に基づいて駆動しているか、第２蓄電装置４５ｂからの電力に基づいて駆動しているかに関する情報などに関する情報が携帯端末９０に送信される。
【００９３】
（効果）
第２実施形態では、負荷抵抗４７が設けられるので、充電時と、満充電で充電を行う必要が無い時（非充電時）とで、負荷試験装置１の電気的な負荷を一定に出来る。
【００９４】
また、冷却ファン１０の駆動は、試験対象電源から供給される電力に基づいて直接的に行われるのではなく、蓄電装置（第１蓄電装置４５ａと第２蓄電装置４５ｂのいずれか）から供給される電力に基づいて行われるため、試験対象電源から負荷試験装置１への電力供給が停止した場合でも、瞬間的に冷却ファンが停止してしまう可能性を低くすることが出来る。
また、２つの蓄電装置（第１蓄電装置４５ａと第２蓄電装置４５ｂ）を設け、一方（第１蓄電装置４５ａ）が充電されている時に他方（第２蓄電装置４５ｂ）が放電され、他方が充電されている時に一方が放電される。このため、１つの蓄電装置で蓄電と放電が行われる形態に比べて、蓄電装置の負担が小さくすることが出来る。
【００９５】
（単相交流若しくは直流の試験対象電源への応用）
第２実施形態では、試験対象電源が三相交流電源である例を示したが、試験対象電源が単相交流電源若しくは直流電源であってもよい。
試験対象電源が、直流電源の場合、冷却ファン１０は直流で駆動し、第１変換部４１ａと第２変換部４１ｂが省略される。
【００９６】
（高圧の負荷試験装置１への応用）
なお、第２実施形態における負荷試験装置１は、第１実施形態における負荷試験装置１と同様に、低圧の電源に対応した低圧用負荷試験装置に応用することも可能であるし、高圧の電源に対応した高圧用負荷試験装置に応用することも可能である。
高圧用負荷試験装置に応用する場合には、第１実施形態における負荷試験装置１と同様に、負荷試験装置１の充放電部４０は、第１トランス４８ａと第２トランス４８ｂを有する。
【００９７】
（充放電部が複数設けられた形態）
第１実施形態と第２実施形態では、冷却ファン１０と充放電部４０とが１つずつ設けられ、１つの冷却ファン１０が抵抗部２０などを冷却する例を説明した。
しかしながら、冷却ファン１０と充放電部４０のセットが複数組設けられ、複数の冷却ファンが抵抗部２０などを冷却する形態であってもよい（図１３参照）。
図１３は、２つの冷却ファン（第１冷却ファン１０ａ、第２冷却ファン１０ｂ）と、２つの充放電部（第１充放電部４０ａ、第２充放電部４０ｂ）が設けられた例を示す。
図１３は、第３抵抗器群Ｇ３と第４抵抗器群Ｇ４と第２端子部５５ｂの図示を省略している。
【００９８】
第１充放電部４０ａには、第１冷却ファン１０ａと、操作部６０及び制御部８０などの負荷試験装置１を構成する電気機器が接続される。
第１充放電部４０ａは、第１冷却ファン１０ａと、操作部６０及び制御部８０などの負荷試験装置１を構成する電気機器の無停電装置として用いられる。
【００９９】
ただし、操作部６０及び制御部８０などの負荷試験装置１を構成する電気機器への電力供給のための充放電部は、第１充放電部４０ａとは別に設けられるのが望ましい。充放電部を冷却ファン１０と別にすることで、操作部６０の第１スイッチＳ１〜第４スイッチＳ４のオンオフ操作に対応してオンオフ制御され、リレーＲＳのオンオフ切替時の負荷の影響を冷却ファン１０が受けにくくすることが出来る。
【０１００】
第２充放電部４０ｂには、第２冷却ファン１０ｂが接続される。
第２充放電部４０ｂは、第２冷却ファン１０ｂの無停電装置として用いられる。
すなわち、第１のセットとして、第１冷却ファン１０ａと第１充放電部４０ａとが設けられ、第２のセットとして、第２冷却ファン１０ｂと第２充放電部４０ｂとが設けられる。
【０１０１】
第１冷却ファン１０ａは、抵抗部２０と第１充放電部４０ａに冷却風を供給する。
第２冷却ファン１０ｂは、抵抗部２０と第２充放電部４０ｂに冷却風を供給する。
すなわち、抵抗部２０には、第１冷却ファン１０ａと第２冷却ファン１０ｂからの冷却風が供給される。
【０１０２】
複数の冷却ファンで抵抗部２０を冷却するため、１つの冷却ファンで抵抗部２０を冷却する形態に比べて、当該複数の冷却ファンのそれぞれについて、小さい冷却ファンを用いることが可能になる。
複数の小さい冷却ファンのそれぞれに対応して複数の充放電部が設けられる。
このため、１つの充放電部で複数の冷却ファンを駆動する形態に比べて、当該複数の充放電部のそれぞれについて、小さい容量の蓄電装置及び充電器を用いることが可能になる。
小さい容量の蓄電装置及び充電器を用いることにより、大きい容量の蓄電装置及び充電池を用いる形態に比べて、短時間で充電と放電を完了させることが可能になる。
【０１０３】
抵抗部２０の状態（負荷量、温度など）に応じて、冷却ファン１０が制御されてもよい。
例えば、抵抗部２０の温度が温度閾値よりも低く、負荷量が比較的少ない場合には、第１冷却ファン１０ａと第２冷却ファン１０ｂのいずれか一方だけが駆動され、抵抗部２０の温度が温度閾値以上に高く、負荷量が比較的多い場合には、第１冷却ファン１０ａと第２冷却ファン１０ｂの両方が駆動される。
冷却ファン１０の制御は、複数の冷却ファンのオンオフ制御に限るものではない。例えば、第２変換部４１ｂ若しくは第２変換部４１ｂと冷却ファン１０の間に設けられたインバーター（不図示）を使って、冷却ファン１０の回転数を制御する形態が考えられる。
【０１０４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態及びその変形は、発明の範囲及び要旨に含まれると同様に、特許請求の範囲に記載された発明とその均等の範囲に含まれるものである。
【符号の説明】
【０１０５】
１  負荷試験装置
１０  冷却ファン
１０ａ  第１冷却ファン
１０ｂ  第２冷却ファン
２０  抵抗部
３０  筐体
３１  吸気口
３２  吸気蓋
３３  排気口
３４  排気蓋
４０  充放電部
４０ａ  第1充放電部
４０ｂ  第２充放電部
４１ａ  第１変換部
４１ｂ  第２変換部
４３  充電器
４５ａ  第1蓄電装置
４５ｂ  第２蓄電装置
４６ａ  第１切り替えリレー
４６ｂ  第２切り替えリレー
４６ｃ  第３切り替えリレー
４８ａ  第１トランス
４８ｂ  第２トランス
５０  遮断器
５５ａ  第１端子部
５５ｂ  第２端子部
４７  負荷抵抗
６０  操作部
６０ａ  オンオフ操作スイッチ
６０ｂ  選択スイッチ
６０ｃ  表示部
８０  制御部
９０  携帯端末
ｃ１  試験対象電源ケーブル
Ｇ１  第１抵抗器群
Ｇ２  第２抵抗器群
Ｇ３  第３抵抗器群
Ｇ４  第４抵抗器群
Ｒ１  第１抵抗器
Ｒ２  第２抵抗器
Ｒ３  第３抵抗器
Ｒ４  第４抵抗器
Ｒ５  第５抵抗器
Ｒ６  第６抵抗器
ＲＳ  リレー
Ｓ１  第１スイッチ
Ｓ２  第２スイッチ
Ｓ３  第３スイッチ
Ｓ４  第４スイッチ
ＵＴ  Ｕ相端子
ＵＢ  Ｕ相用線
ＶＴ  Ｖ相端子
ＶＢ  Ｖ相用線
ＷＴ  Ｗ相端子
ＷＢ  Ｗ相用線
【要約】
補機電源を用意せずに、冷却ファンなどを停止させることなく、負荷試験が可能な負荷試験装置を提供する。
負荷試験装置１は、抵抗部２０と、抵抗部２０を冷却する冷却ファン１０と、遮断器５０と、試験対象電源と接続する第１端子部５５ａと、充電器４３と第１蓄電装置４５ａとを有する充放電部４０とを備える。充放電部４０は、第１端子部５５ａと遮断器５０の間で、第１端子部５５ａと抵抗部２０の間の試験対象電源ケーブルｃ１と接続される。第１蓄電装置４５ａは、試験対象電源から供給された電力を貯蔵する。冷却ファン１０は、少なくとも充放電部４０からの電力に基づいて駆動する。【図１】
0006757057.tif 000002
【図２】
0006757057.tif 000003
【図３】
0006757057.tif 000004
【図４】
0006757057.tif 000005
【図５】
0006757057.tif 000006
【図６】
0006757057.tif 000007
【図７】
0006757057.tif 000008
【図８】
0006757057.tif 000009
【図９】
0006757057.tif 000010
【図１０】
0006757057.tif 000011
【図１１】
0006757057.tif 000012
【図１２】
0006757057.tif 000013
【図１３】
0006757057.tif 000014